(57)【要約】【課題】振動を外部に伝えづらくすることができるスピーカ装置、音声出力装置、および画像表示装置を提供すること。【解決手段】スピーカボックス５２は、内部損失の大きな材質、例えばウレタンなどの樹脂材、木材、グラスウール、繊維を編んだもの、およびこれらを組み合わせたもの等から形成されている。従って、スピーカ５１を大音量となるように駆動させたとしても、スピーカボックス５２によってスピーカ５１の背面から生じる音波を吸収することができる。よって、当該音波によってスピーカボックス５２が振動してしまうことを抑制することができるので、当該スピーカ装置５を収納する筐体に振動を伝えづらくすることができる低振動のスピーカ装置５とすることができる。【選択図】図４
2009044375.tif 000002
【特許請求の範囲】
【請求項１】
振動板を有し音声を出力するスピーカと、前記振動板が露出する開口を有し、かつ、前記スピーカを収納するスピーカボックスとを備えたスピーカ装置であって、
前記スピーカボックスは、内部損失の大きな材質で形成されていることを特徴とするスピーカ装置。
【請求項２】
請求項１に記載のスピーカ装置において、
前記スピーカボックスの前記材質は、樹脂製であることを特徴とするスピーカ装置。
【請求項３】
ディスク状の記録媒体に対する情報の記録、および前記記録媒体に記録された情報の読取のうち、少なくともいずれか一方を実行するディスク記録／読取装置と、
請求項１または請求項２に記載のスピーカ装置と、
前記ディスク記録／読取装置および前記スピーカ装置を収納する筐体とを備えていることを特徴とする音声出力装置。
【請求項４】
請求項３に記載の音声出力装置と、光源装置と、前記光源装置から射出された光束を画像情報に基づいて変調する光変調装置と、前記光変調装置にて変調された光束を拡大投射する投射光学装置とを備えていることを特徴とする画像表示装置。
【発明の詳細な説明】
【技術分野】
【０００１】
本発明は、スピーカ装置、音声出力装置、および画像表示装置に関する。
【背景技術】
【０００２】
従来、音楽や映像等の情報をＣＤ（Compact Disc）やＤＶＤ(Digital Versatile Disc)等のディスクに記録したり、当該ディスクに記録された情報を読み取るディスク記録／読取装置と、読み取った情報に含まれる音声情報に基づく音声を出力するスピーカ装置と、これらディスク記録／読取装置およびスピーカ装置を内部に収納保持する筐体とを備えた音声出力装置が知られている。スピーカ装置は、振動板を有するスピーカと、スピーカを収納するスピーカボックスとを備えている。このような従来の音声出力装置では、スピーカ装置（スピーカ）を大音量となるように駆動させた場合、スピーカ装置（スピーカボックス）が振動してしまうので、スピーカ装置の振動が筐体を介してディスク記録／読取装置に伝達されてしまい、ディスク記録／読取装置の読み取りにミスが発生して音飛びが生じるおそれがあった。
【０００３】
このような課題に対し、ディスク記録／読取装置と筐体との間に振動吸収材が配設された音声出力装置が知られている（例えば、特許文献１）。前記特許文献１の音声出力装置では、スピーカ装置が振動すると、その振動は筐体を介してディスク記録／読取装置に伝達されることとなるが、ディスク記録／読取装置と筐体との間に振動吸収材が配設されているので、当該振動を振動吸収材で減衰させることができる。従って、ディスク記録／読取装置に振動を伝えづらくすることができ、ディスク記録／読取装置の読み取りミスを抑制することができる。
【０００４】
【特許文献１】米国特許６,９６６,６５１号公報
【発明の開示】
【発明が解決しようとする課題】
【０００５】
しかしながら、前記特許文献１の音声出力装置では、振動吸収材をスピーカ装置と筐体との間に配設しなければならないため、その分製造工程が増えてしまうという問題があった。従って、そのような工程を不要にするために、スピーカ装置自体の振動を抑制することのできる技術が要望されている。
【０００６】
本発明の目的は、振動を外部に伝えづらくすることができるスピーカ装置、音声出力装置、および画像表示装置を提供することにある。
【課題を解決するための手段】
【０００７】
本発明のスピーカ装置は、振動板を有し音声を出力するスピーカと、前記振動板が露出する開口を有し、かつ、前記スピーカを収納するスピーカボックスとを備えたスピーカ装置であって、前記スピーカボックスは、内部損失の大きな材質で形成されていることを特徴とする。
なお、内部損失の大きな材質としては、ウレタンなどの樹脂材、木材、グラスウール、繊維を編んだもの、およびこれらを組み合わせたもの等が使用できる。また、スピーカボックスの内部に羊毛やグラスファイバー等を張ることで、スピーカボックスを内部損失の大きな材質で形成することとしてもよい。
本発明によれば、スピーカボックスは、内部損失の大きな材質で形成されているので、スピーカを大音量となるように駆動させたとしても、当該スピーカボックスでスピーカの背面から生じる音波を吸収することができる。従って、振動を外部（例えばスピーカ装置を収納保持する筐体）に伝えづらくすることのできる低振動のスピーカ装置とすることができる。
【０００８】
本発明のスピーカ装置では、前記スピーカボックスの材質は、樹脂製であることが好ましい。
本発明によれば、スピーカボックスが樹脂製であるので、スピーカ装置の形状に合わせて自由に形状を成形することができる。また、他の材料を混ぜたり、合成繊維（樹脂の糸を織って作った繊維）によってスピーカボックスを成形したりすることが容易にでき、確実に低振動のスピーカ装置とすることができる。
【０００９】
本発明の音声出力装置では、ディスク状の記録媒体に対する情報の記録、および前記記録媒体に記録された情報の読取のうち、少なくともいずれか一方を実行するディスク記録／読取装置と、請求項１または請求項２に記載のスピーカ装置と、前記ディスク記録／読取装置および前記スピーカ装置を収納する筐体とを備えていることを特徴とする。
本発明によれば、低振動のスピーカ装置を備えているので、スピーカ装置から筐体を介してディスク記録／読取装置に伝達される振動を低減することができる。従って、ディスク記録／読取装置の記録媒体に対する情報の記録ミスを抑制することができる。また、ディスク記録／読取装置の記録媒体からの情報の読み取りミスを抑制することができ、音飛び等の発生を抑制できる。加えて、ディスク記録／読取装置と筐体との間に防振部材を配設することを不要にできるので、その分製造工程を少なくすることができる。
【００１０】
本発明の画像表示装置は、前述の音声出力装置と、光源装置と、前記光源装置から射出された光束を画像情報に基づいて変調する光変調装置と、前記光変調装置にて変調された光束を拡大投射する投射光学装置とを備えることを特徴とする。
【００１１】
本発明によれば、前述の音声出力装置と同様の効果を享受できる。
また、ディスク記録／読取装置が光変調装置での光の変調に際して利用される画像情報を記録媒体から読み取る場合、本発明では、前述したように、ディスク記録／読取装置に伝達される振動を低減することができるので、ディスク記録／読取装置による画像情報の読み取りミスを抑制することができる。従って、画像を停滞することなく形成投射することができる。
【発明を実施するための最良の形態】
【００１２】
以下、本発明の一実施形態を図面に基づいて説明する。
〔全体構成〕
図１は、本実施形態に係る画像表示装置の一例であるプロジェクタ１のアッパーケースを取り外した状態の斜視図である。なお、図１では、説明の便宜上、画像の投射方向を＋Ｚ軸とし、＋Ｚ軸の反対方向を−Ｚ軸とし、これら±Ｚ軸に直交する２軸を±Ｘ軸（水平軸）および±Ｙ軸（垂直軸）とする。以下の図面も同様である。
プロジェクタ１は、ＣＤ（Compact Disc）やＤＶＤ(Digital Versatile Disc)等のディスク状の記録媒体に記録された画像情報および音声情報を読み取り、光源から射出される光束を前記画像情報に基づいて変調して画像光を形成し、形成した画像をスクリーン（図示略）上に拡大投射するとともに、前記音声情報を発音（出力）するものである。
【００１３】
このプロジェクタ１は、図１に示すように、筐体２と、筐体２の内部に収納された光学ユニット３、ディスク記録／読取装置４、およびスピーカ装置５（図３参照）とを備えている。
筐体２は、図示略のアッパーケースと、ロアーケース２２と、これらの内側に形成された内部空間を上部空間（＋Ｙ側の空間）と下部空間（−Ｙ側の空間）とに区画する区画板２１とを備えている。
上部空間には、光学ユニット３が収納されている。また、上部空間には、図示を略したがプロジェクタ１内部の各構成部材に電力を供給する電源ユニットや、各構成部材を制御する制御装置等が収納されている。
下部空間には、ディスク記録／読取装置４およびスピーカ装置５が収納されている。本実施形態では、これらディスク記録／読取装置４およびスピーカ装置５と、これらを内部に形成された下部空間内に収納する区画板２１およびロアーケース２２とを含んで音声出力装置６が構成されている。なお、区画板２１およびロアーケース２２は本発明の筐体を構成する。
【００１４】
〔光学ユニットの構成〕
図２は、光学ユニット３の構成を模式的に示す図である。
光学ユニット３は、前記制御装置による制御の下、光源から射出された光束を光学的に処理して画像情報に対応した画像を形成し、スクリーンに拡大投射する。この光学ユニット３は、図２に示すように、光源装置３１と、照明光学装置３２と、色分離光学装置３３と、リレー光学装置３４と、光学装置３５と、投射光学装置としての投射レンズ３６と、光学部品用筐体３７とを備えている。なお、上述した各光学部品３１〜３７は、種々の一般的なプロジェクタの光学系として利用されているため、以下では簡略に説明する。
【００１５】
光源装置３１は、光源ランプ３１１やリフレクタ３１２等を有する。照明光学装置３２は、レンズアレイ３２１，３２２、偏光変換素子３２３、および重畳レンズ３２４等を有する。色分離光学装置３３は、ダイクロイックミラー３３１，３３２、および反射ミラー３３３等を有する。リレー光学装置３４は、入射側レンズ３４１、リレーレンズ３４２、および反射ミラー３４３，３４４等を有する。光学装置３５は、前記制御装置による制御の下、光源装置３１から射出された光束を画像情報に基づいて変調する３つの液晶パネル３５１（赤色光側を液晶パネル３５１Ｒ、緑色光側を液晶パネル３５１Ｇ、青色光側を液晶パネル３５２Ｂとする）、３つの入射側偏光板３５２、および３つの射出側偏光板３５３にて変調された光束を合成して画像を形成する色合成光学装置としてのクロスダイクロイックプリズム３５４等を有する。投射レンズ３６は、画像を拡大投射する。光学部品用筐体３７は、これら各光学部品３１〜３６を内部に設定された照明光軸Ａに対する所定位置に支持固定する。
【００１６】
〔音声出力装置の構成〕
図３は、ディスク記録／読取装置４およびスピーカ装置５の配置を示す平面図である。
音声出力装置６は、前述したように、本発明の筐体を構成する区画板２１およびロアーケース２２と、これら区画板２１およびロアーケース２２の内側に形成される下部空間内に収納保持されたディスク記録／読取装置４およびスピーカ装置５とを備えている。
ロアーケース２２は、図１および図３に示すように、矩形状の底面２２１と、底面２２１の縁部に沿って立設された±Ｚ方向の側面２２２Ａ，２２２Ｂおよび±Ｘ方向の側面２２２Ｃ，２２２Ｄとを備え、＋Ｙ方向側が開口した箱状に形成されている。なお、この開口は区画板２１により閉塞されている。
＋Ｚ方向の側面２２２Ａにおいて、ディスク記録／読取装置４の配置位置に対応した位置にはディスク投入口２２３が形成されている。＋Ｘ方向の側面２２２Ｃおよび−Ｘ方向の側面２２２Ｄにおいて、スピーカ装置５の配置位置に対応した位置には、それぞれメッシュで覆われた開口２２４が形成されている。底面２２１には、支持柱７が複数立設されている。支持柱７にはねじ穴７１が形成されている。
【００１７】
〔ディスク記録／読取装置の構成〕
ディスク記録／読取装置４は、詳しい図示は省略したが、ディスク投入口２２３を介して内部に挿入されたディスクを回転させるモータと、回転するディスクに光スポットを照射して当該ディスクに記録された画像情報および音声情報を読み取るピックアップとを備え、読み取った画像情報を制御装置を介して光学ユニット３に出力するとともに、読み取った音声情報を制御装置を介してスピーカ装置５に出力する。また、ピックアップは、ディスクに対して画像情報および音声情報を記録することもできるようになっている。このようなディスク記録／読取装置４の略四隅には、固定用孔４２を有する腕部４１が設けられており、ディスク記録／読取装置４は、この腕部４１が支持柱７にねじ止めされることにより筐体２に固定されるとともに、＋Ｚ軸方向側面２２２Ａと−Ｘ軸方向側面２２２Ｄとの入隅に配置される。
【００１８】
〔スピーカ装置の構成〕
図４は、スピーカ装置５の斜視図、図５は、スピーカ装置５の断面図である。
スピーカ装置５は、−Ｘ方向の側面２２２Ｄと−Ｚ方向の側面２２２Ｂとの入隅、および＋Ｘ方向の側面２２２Ｃと−Ｚ方向の側面２２２Ｂとの入隅に配置されている（図３参照）。
このスピーカ装置５は、図４および図５に示すように、スピーカ５１と、スピーカ５１を収納するスピーカボックス５２とを備え、全音域を発音するフルレンジタイプのものとなっている。
【００１９】
〔スピーカの構成〕
スピーカ５１は、振動板５１１と、振動板５１１と一体的に設けられ外周面にボイスコイルが巻き回された図示しないコイルボビンと、音声情報に基づいてコイルボビンを振動させる図示しない磁気回路部とを備えている。振動板５１１の材質としては、軽量かつ機械的な強度、ヤング率、適度な内部損失のあるパルプ、パルプを混濁したもの、高分子素材、金属、繊維を編んだもの、およびこれらを組み合わせたもの等が使用できる。
【００２０】
〔スピーカボックスの構成〕
スピーカボックス５２は、図５に示すように、スピーカ５１が取り付けられた前部側が大きく、後部側が小さく形成されている。このスピーカボックス５２は、位相反転型（バスレフ型）とされており、内部には、スピーカ５１の振動板５１１の後面から発生する音波の位相を反転させ、振動板５１１の前面から発生する音波の位相に揃えて外部に放出するバスレフ孔５２１が一対形成されている。
このようなスピーカボックス５２には、内部損失の大きな材質が使用される。材質としては、ウレタンなどの樹脂材、木材、グラスウール、繊維を編んだもの、およびこれらを組み合わせたもの等が使用できる。また、スピーカボックス５２の内部に羊毛やグラスファイバー等を張ることで、スピーカボックス５２を内部損失の大きな材質で形成することとしてもよい（スピーカボックス５２自体の材質は問わない）。
【００２１】
図４に示すように、このようなスピーカボックス５２の正面（±Ｘ方向の側面２２２Ｃ，２２２Ｄに対向配置される面）５２Ａには、スピーカ取付用開口５２２と、バスレフ孔５２１に接続される一対のバスレフ用開口５２３とが形成されている。また、スピーカボックス５２の側面５２Ｂ（±Ｚ方向の面）において、正面５２Ａ側には、当該スピーカボックス５２から側方（±Ｚ方向）に向かって延びる一対の腕部５２４が設けられている。腕部５２４には、固定用孔５２５が形成されている。スピーカ装置５は、この腕部４１が支持柱７にねじ５２６止めされることにより、筐体２に固定される。
【００２２】
〔本実施形態の効果〕
上述した本実施形態のプロジェクタ１によれば、以下の効果がある。
すなわち、スピーカボックス５２が内部損失の大きな樹脂材、木材、グラスウール、繊維を編んだもの等の材質から形成されているので、スピーカ装置５を大音量となるように駆動させたとしても、振動板５１１の背面から生じる音波をスピーカボックス５２で吸収することができる。従って、筐体２に振動を伝えづらくすることのできる低振動のスピーカ装置５とすることができる。加えて、スピーカボックス５２の材質として樹脂を用いれば、自由に形状を成形することが可能であるうえ、他の材料を混ぜたり、合成繊維によってスピーカボックス５２を成形したりすることが容易であり、確実に低振動のスピーカ装置５とすることができる。
【００２３】
スピーカ装置５からディスク記録／読取装置４に伝達される振動を低減することができるので、ディスク記録／読取装置４のピックアップが振動によって揺動してしまい、ディスクからの音声情報および画像情報の読み取りを当該ピックアップがミスしてしまうことを抑制することができる。従って、音飛びの発生を抑制できるうえ、画像を停滞することなく形成投射することができる。また、ディスク記録／読取装置４に伝達される振動を低減することができるので、ディスク記録／読取装置４のディスクに対する情報の記録ミスも抑制することができる。
【００２４】
加えて、ディスク記録／読取装置４と筐体２との間に防振部材を配設することなくディスク記録／読取装置４に伝達される振動を低減することができるので、その分製造工程を少なくすることができる。
スピーカ装置５は、１つの振動板５１１で全音域を発音するフルレンジタイプのものとなっている。そして、スピーカ装置５は、位相反転型とされ、低音域の発音能力が良好とされているうえ、振動板５１１に軽量かつ機械的な強度等を有するパルプや金属等の材質が使用され、高音域での発音能力も良好とされているので、当該スピーカ装置５の発音能力を低音域から高音域に亘って良好とすることができる。
【００２５】
〔実施形態の変形〕
なお、本発明は前述の実施形態に限定されるものではなく、本発明の目的を達成できる範囲での変形、改良等は本発明に含まれるものである。
前記実施形態では、ディスク記録／読取装置４は、ピックアップによって、回転するディスクに光スポットを照射し当該ディスクに対する情報の記録および当該ディスクに記録された情報の読取を実行していたが、ディスク記録／読取装置４は、磁気ディスクに近接させた磁気ヘッドにより当該磁気ディスクに対する情報の記録および当該磁気ディスクに記録された情報の読込を実行していてもよい。すなわち、ディスク記録／読取装置は、ＨＤＤ(Hard disk drive)であってもよい。
また、前記実施形態では、ディスク記録／読取装置は、ディスクに対する情報の記録およびディスクに記録された情報の読取の両方を実行していたが、少なくともいずれか一方を実行できればよい。
【００２６】
前記実施形態では、画像表示装置の一例としてスクリーンを観察する方向から投射を行うフロントタイプのプロジェクタの例のみを挙げたが、本発明は、スクリーンを観察する方向とは反対側から投射を行うリアタイプのプロジェクタにも適用可能である。また、本発明は、プロジェクタ以外にもＣＤプレイヤー等の音響機器に広く利用できる。
前記実施形態では、光入射面と光射出面とが異なる透過型の液晶パネルを用いていたが、光入射面と光射出面とが同一となる反射型の液晶パネルを用いてもよい。
また、光変調装置として液晶パネルを用いていたが、マイクロミラーを用いたデバイスなど、液晶以外の光変調装置を用いてもよい。この場合は、光束入射側および光束射出側の偏光板３５２，３５３は省略できる。
【産業上の利用可能性】
【００２７】
本発明のスピーカ装置は、ディスク記録／読取装置を有する音声出力装置や、プレゼンテーションやホームシアタに用いられるプロジェクタ等の画像表示装置に利用できる。
【図面の簡単な説明】
【００２８】
【図１】本発明の一実施形態に係るプロジェクタを示す斜視図。
【図２】前記実施形態における光学ユニットの構成を模式的に示す図。
【図３】前記実施形態におけるディスク記録／読取装置およびスピーカ装置の配置を示す平面図。
【図４】前記実施形態におけるスピーカ装置を示す斜視図。
【図５】前記実施形態におけるスピーカ装置を示す断面図。
【符号の説明】
【００２９】
１…プロジェクタ（画像表示装置）、４…ディスク記録／読取装置、５…スピーカ装置、６…音声出力装置、２１…区画板（筐体）、２２…ロアーケース（筐体）、３１…光源装置、３６…投射レンズ（投射光学装置）、５１…スピーカ、５２…スピーカボックス、５１１…振動板、５２２…スピーカ取付用開口（開口）。
【図１】
2009044375.tif 000003
【図２】
2009044375.tif 000004
【図３】
2009044375.tif 000005
【図４】
2009044375.tif 000006
【図５】
2009044375.tif 000007